(57)【要約】    【課題】  戸車の円滑な回転が維持されるためその破損を防止し、かつ引き戸のスムースな開閉操作性を持続できる引き戸の支持構造を提供する。    【解決手段】  引き戸の下部に取り付けられ、この引き戸を支持する戸車と、この戸車がその上を移動する敷居とを具える引き戸の支持構造であって、  前記戸車は、外周面の中央に環状の係合溝が形成された車輪を有し、  前記敷居は、一定間隔隔てて、引き戸の移動方向に沿ってのびる一対の側溝部と、側溝部の間に形成され、断面上部が半円弧状をなすレール部とを含み、  前記戸車は、その車輪の係合溝が敷居のレール部に係合しつつ、レール部上を転動することを特徴とする。【選択図】  図２
2006233663.tif 000002
【特許請求の範囲】
【請求項１】
引き戸の下部に取り付けられ、この引き戸を支持する戸車と、この戸車がその上を移動する敷居とを具える引き戸の支持構造であって、
前記戸車は、外周面を一周する環状の係合溝が形成された車輪を有し、
前記敷居は、一定間隔隔てて、引き戸の移動方向に沿ってのびる一対の側溝部と、側溝部の間に形成され、断面上部が半円弧状をなすレール部とを含み、
前記戸車は、その車輪の係合溝が敷居のレール部に係合しつつ、レール部上を転動することを特徴とする引き戸の支持構造。
【請求項２】
前記側溝部は、その底面部が断面半円弧状をなすことを特徴とする請求項１記載の引き戸の支持構造。
【請求項３】
前記引き戸は、その底面部に取付凹部が形成されるとともに、前記戸車は、その上部が前記取付凹部内に挿入された高さに取り付けられ、
引き戸の側面部と前記取付凹部との間には、送気路が形成されることを特徴とする請求項１又は２記載の引き戸の支持構造。
【発明の詳細な説明】
【技術分野】
【０００１】
本発明は、戸車の円滑な回転を維持できるため、その破損が減少してメンテナンス作業を容易とし、かつ引き戸のスムースな開閉操作性を持続できる引き戸の支持構造に関する。
【背景技術】
【０００２】
引き戸の開閉動作を円滑化するため、下面に戸車を取り付けて、敷居などに設けたレール上を転動させる構造が多く採用されている。例えば、図４に示すように、床面ａに上面が丸く形成された甲丸レールｂを固着し、丸型の車輪ｆをホルダーｇに回動自在に枢支した戸車ｈを、引き戸ｄの下部に形成された凹部ｅ内に取り付けたものが使用されている。このようにして甲丸レールｂ上を走行する車輪ｆによって支持された引き戸ｄは、甲丸レールｂ上をスムースに水平移動できる。
【０００３】
しかしながら近年、社会の高齢化に伴ない、ユニバーサルデザインのニーズが高まり、前記のような、床面ａ上に突出する甲丸レールｂを敷設することは、非健常者の歩行の妨げになるとともに躓きの危険があるため、採用されない状況となっている。
【０００４】
そこで、図５に示すように、中央上面にＶ溝ｉを有する敷居部材ｊを床面ａに埋設し、ローラ状の戸車ｋが前記Ｖ溝ｉ内を走行するようにしたバリアフリー構造が提案されている（例えば、特許文献１参照）。更にこのＶ溝ｉの底部に、ゴミ収容溝ｍを設けて、戸車ｋへのゴミ類の付着を防止することにより円滑な回転の維持を図っている。
【０００５】
【特許文献１】特開平７−２１７３０４号公報
【発明の開示】
【発明が解決しようとする課題】
【０００６】
しかしながら、戸車ｋによってゴミ収容溝ｍ内に押さえつけられたゴミ類は、掃除機により吸引しても、完全に除去することが困難で、雑菌が繁殖し易くなるなど、衛生上問題がある。またピック状の掃除具を使用して、ゴミ収容溝ｍ内に硬く押さえつけられたゴミ類を掻き出す作業は、非常に手間が掛かる。更に、ゴミ収容溝ｍにゴミ類が満杯になると、再び戸車ｋにゴミ類が付着し始めて、戸車ｋの円滑な回転が損なわれるという問題がある。
【０００７】
本発明は、一定間隔隔てて、引き戸の移動方向に沿ってのびる一対の側溝部と、側溝部の間に形成され、断面上部が半円弧状をなすレール部とを含む敷居を用いることを基本とし、戸車の円滑な回転が維持されるためその破損を防止し、かつ引き戸のスムースな開閉操作性を持続できる引き戸の支持構造の提供を課題としている。
【課題を解決するための手段】
【０００８】
前記目的を達成するために、請求項１に係る発明は、引き戸の下部に取り付けられ、この引き戸を支持する戸車と、この戸車がその上を移動する敷居とを具える引き戸の支持構造であって、前記戸車は、外周面を一周する環状の係合溝が形成された車輪を有し、前記敷居は、一定間隔隔てて、引き戸の移動方向に沿ってのびる一対の側溝部と、側溝部の間に形成され、断面上部が半円弧状をなすレール部とを含み、前記戸車は、その車輪の係合溝が敷居のレール部に係合しつつ、レール部上を転動することを特徴とする。
【０００９】
請求項２に係る発明では、前記側溝部は、その底面部が断面半円弧状をなし、また請求項３に係る発明においては、前記引き戸は、その底面部に取付凹部が形成されるとともに、前記戸車は、その上部が前記取付凹部内に挿入された高さに取り付けられ、引き戸の側面部と前記取付凹部との間には、送気路が形成されることを特徴とする。
【発明の効果】
【００１０】
請求項１に係る発明は、チリ、埃などの細かなゴミ類は、レール部両側の側溝部の底に滞留して、レール部に係合する戸車とは接触しないため、戸車はその外周面、回転軸部など可動部にゴミ類を拾い上げ、被着させることがなくなり、その結果戸車は常に円滑な回転運動を維持できて、破損が防止され長期間の使用が可能となる。更には転がり調整など戸車のメンテナンス作業が容易となる。また、戸車がゴミ類を巻き込むことがないため、引き戸はスムースにスライド動作でき、開閉の操作性を向上させるとともに、振動音などが抑制されて環境を向上できる。
【００１１】
請求項２に係る発明において、ゴミ類は、断面半円弧状の側溝部に落下して滞留するため、掃除機の吸引により簡単に除去できて、清潔な環境が維持され、また請求項３に係る発明のように構成すると、側溝部内に落下して滞留するゴミ類は、引き戸の開閉動作の際に、送気路から取付凹部を経て流れ込む風に吹き飛ばされて側溝部内から飛び出すため、掃除機などを用いて簡単に除去できる。
【発明を実施するための最良の形態】
【００１２】
以下、本発明の実施の一形態を、図示例とともに説明する。図１に示すように、引き戸の支持構造１は、引き戸２を支持する戸車３と、この戸車３がその上を移動する敷居４とを具え、使用者が引き戸２を押し引き操作して、面方向に沿い移動させる時、引き戸２の下部を支えるものである。他方引き戸２の上部は、上框が鴨居の下方に向く案内溝内に挿入されることにより、前記移動方向に沿ってガイドされる。
【００１３】
前記引き戸２は、矩形に枠組みされた外周枠及びこの外周枠の内側に架け渡された縦横の補強桟からなるフレーム体と、このフレーム体の表裏両面に貼り付けられた化粧板とからなるフラッシュパネルを用いて形成される。前記フレーム体は、杉、松、樅、栂などの針葉樹、及びナラ、チーク、ラワンなどの広葉樹を含む木材、集成材、ＬＶＬ（単板積層材）などのエンジニアリングウッドのほか、プラスチック、アルミニウムの押し出し型材、薄鋼板の折り曲げ材などを用いて形成される。また化粧板は、合板など基板上に、ナラ、サクラ、チーク、ケヤキなどを厚さ０．２〜０．６ｍｍ程度にスライスした突き板、又はポリエチレン、ポリプロピレン、エチレン酢ビ樹脂（ＥＶＡ）などオレフィン系樹脂、メラミン樹脂、ポリエステル樹脂などを用いた化粧シートを貼り付けたものが用いられる。
【００１４】
前記引き戸２は、図１、２に示すように、その下面に取付凹部８が形成される。この取付凹部８は、引き戸２の両端近傍に一対が形成される。本形態では、取付凹部８の下端開口縁部に取付段部２１が形成されている。
【００１５】
前記戸車３は、この取付凹部８に取り付けられ、本形態では、中央に長矩形状の孔２２を有する長矩形状の基板２３と、前記孔２２の四周縁から短角筒状に立ち上がる補強リブ２４と、この補強リブ２４の向き合う二片の中央が更に上にのびた、互いに向き合う一対の支持片２５、２５と、この支持片２５、２５間に架け渡された水平な支軸２６と、この支軸２６に枢支されて前記孔２２、及び補強リブ２４内に配される車輪１０とからなる。なお前記基板２３の両端部は、固着孔２７が穿設された取付片２８を形成している。前記基板２３、補強リブ２４、及び支持片２５は、プレス成形されたメッキ鋼板、或いはプラスチックなどを用いて一体に形成される。
【００１６】
前記車輪１０は、巾方向の中央に配置されて外周面を一周する環状の係合溝５が形成される。またこの係合溝５の底面は、断面円弧状に形成されている。そしてこの車輪１０は、鉄、ステンレス、ナイロン、ウレタン樹脂、ポリオキシメチレン（ＰＯＭ）等を用いて形成される。
【００１７】
前記の如く構成された戸車３は、図２に示すように、その上部を前記取付凹部８内に挿入した状態で、前記固着孔２７に挿入した固着具２９によって引き戸２の下部に固着される。このとき、図１に示すように、前記基板２３の側端部は、前記取付凹部８の取付段部２１に係合支持されるため、引き戸２の荷重を安定して支持でき、戸車３の変形を防止しうる点で好ましい。このようにして、戸車３は、車輪１０の下端部のみが下方に突出した高さで引き戸２の下部に取り付けられる。
【００１８】
前記敷居４は、一定間隔隔てて、引き戸の移動方向に沿って平行のびる一対の側溝部６、６と、この側溝部６、６の間に挟まれて形成されるレール部７とを含み形成される。本形態の側溝部６は、図１に示すように、その底面部が断面半円弧状をなしているため、入隅部が形成されない。その結果、チリ、埃などの細かなゴミ類が落下して滞留しても、掃除機の吸引力により簡単に除去でき、清潔な環境を維持できるとともに掃除の作業性を向上できる点で好ましい。
【００１９】
なお側溝部６の敷居４上面からの深さＤは、例えば、３．０〜２０．０ｍｍ程度、好ましくは５．０〜１２．０ｍｍ、本形態では７．０ｍｍとしている。３．０ｍｍ未満では戸車３との係合寸法が不足し、逆に２０．０ｍｍを超えると内部に落下したチリ、埃などの細かなゴミ類の除去が困難となる。
【００２０】
また側溝部６の開口縁における巾Ｗは、例えば、３．０〜１５．０ｍｍ程度、好ましくは５．０〜１０．０ｍｍ、本形態では７．０ｍｍとしている。３．０ｍｍ未満では戸車３の係合が困難となり、逆に１５．０ｍｍを超えると歩行者が躓く危険性が生じる。
【００２１】
前記レール部７は、側溝部６、６の間に立ち上がるが、その上端は、敷居４の上面を越えることはない。本形態では、敷居４の上面と同高さのレール部７が形成されている。そのため、バリアフリーの床面が形成され、非健常者に対しても安全性、快適性が維持できる。またレール部７の、断面上部は、半円弧状をなし、図１に示すように、前記戸車３の車輪１０の係合溝５と係合して引き戸２のスライド移動を安定して支持できる。
【００２２】
また本形態の敷居４は、断面略横矩形の厚帯板状をなす敷居部材４Ａを根太、大引きなど、図示されない床下地材に水平に取り付けることにより構成される。このとき、敷居部材４Ａは隣接する床面３０の表面と同高さに配置される。
【００２３】
このようにして構成された敷居４のレール部７に戸車３の係合溝５が係合しつつ、前記車輪１０がレール部７の上を転動することによって、引き戸２が円滑にスライドしうる。このとき、チリ、埃などの細かなゴミ類は、隣接する床面３０からレール部７両側の側溝部６内に落下し、その底に滞留しするため、レール部７に係合して転動する戸車３とは接触しない。そのため戸車３の車輪１０の外周面、或いは回転軸部など可動部に、ゴミ類を拾い上げたり、被着することがなく、従って戸車３は常にスムースに回転運動を続けることができる。そのため、戸車３が振動、回転の抵抗増加などが原因で破損することもなく、使用寿命を延長できる。更には転がり調整などの点検作業も殆ど不要となり、メンテナンスが簡単になる。また、戸車３がゴミ類を巻き込むことがないため、引き戸２の開閉をスムースに行なえ、使用者の操作性が向上するとともに、振動音などが低減されて環境が向上する。
【００２４】
また本形態の引き戸２には、図２、３に示すように、引き戸２の側面部と前記取付凹部８の端部との間に送気路９が形成される。この送気路９は、引き戸２が移動する際に、移動方向前方に位置する引き戸２の側面側から取付凹部８に向けて風を送り込むために設けられる。引き戸２の移動に際して、前記送気路９から取付凹部８に導入される風により
側溝部６内に落下して滞留するゴミ類が吹き飛ばされるため、掃除機などを用いて簡単に除去でき、かつ側溝部６内を清潔な状態に保つことができる。
【００２５】
本形態では、引き戸２の両側端に各々送気路９を形成するため、左右何れの方向に移動する場合にも、その移動前方に位置する送気路９において前記送風作用を奏する。また本形態の送気路９は、取付凹部８側から引き戸２の側面に向けて上下高さが漸増して形成されているため、より多くの風を送り込むことができる点で好ましい。
【００２６】
また本形態では、図２に示すように、送気路９が引き戸２の側面側に臨む開口縁部に矩形状の取付段３１が形成され、この取付段３１に略同大矩形状のフイルター３２が嵌めこまれるとともにビス３３により固着される。このフイルター３２により、浮遊するゴミ類が側溝部６に送り込まれることを防止できる点で好ましい。更にフイルター３２は、取付段３１内に嵌めこまれて引き戸２の側面から飛び出すことがないため、開口縦枠、引き戸２の間の隙間発生を防止できる点で好ましい。
【００２７】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２８】
【図１】本発明の一実施の形態を例示する縦断面図である。
【図２】その要部の分解斜視図である。
【図３】その断面図である。
【図４】従来例の断面図である。
【図５】他の従来例の断面図である。
【符号の説明】
【００２９】
１      引き戸の支持構造
２      引き戸
３      戸車
４      敷居
５      係合溝
６      側溝部
７      レール部
８      取付凹部
９      送気路
【図１】
2006233663.tif 000003
【図２】
2006233663.tif 000004
【図３】
2006233663.tif 000005
【図４】
2006233663.tif 000006
【図５】
2006233663.tif 000007